【手続補正書】
【提出日】平成18年4月20日(2006.4.20)
【手続補正１】
【補正対象書類名】明細書
【補正対象項目名】特許請求の範囲
【補正方法】変更
【補正の内容】
【特許請求の範囲】
【請求項１】  グラフト化ゴムおよびコポリマー母材を含んでなる熱可塑性成形組成物であって、
グラフト化ゴムが、基材、第１のグラフト化相およびその後のグラフト化相(これらは、該基材に順にグラフト化されている)を含有し、
該基材が、ポリアクリル酸アルキル、ポリ水素化ジエンおよびポリジエンからなる群から選択される架橋エラストマーを含有し、
該第１のグラフト化相が、コポリマーの重量に対して少なくとも７５％の少なくとも１つのビニル芳香族モノマー、ならびに、コポリマーの重量に対して多くとも２５％の(メタ)アクリロニトリルおよび(メタ)アクリル酸アルキルからなる群から選択される少なくとも１つの構成員からなるコポリマーを含有し、
該その後のグラフト化相が、該その後のグラフト化相の重量に対して約６０〜７５％の少なくとも１つのビニル芳香族モノマー、ならびに、該その後のグラフト化相の重量に対して約２５〜４０％の(メタ)アクリロニトリルおよび(メタ)アクリル酸アルキルからなる第２群から選択される少なくとも１つの構成員からなるコポリマーを含有し、
該第１のグラフト化相と該その後のグラフト化相の重量比が、１／４〜４／１であり、
該グラフト化ゴムが、重量平均粒子サイズが約０.１〜１.０ミクロンである粒状形態で存在し、
該母材が、少なくとも１つのビニル芳香族モノマー、ならびに、(メタ)アクリロニトリルおよび(メタ)アクリル酸アルキルからなる群から選択される少なくとも１つのモノマーからなる重合生成物を含有し、
該第１のグラフト化相および該その後のグラフト化相が、互いとは化学的に異なっている熱可塑性成形組成物。
【請求項２】  グラフト化ゴム(ＧＲ)およびコポリマー母材(ＭＸ)の合計重量に対して、
(ａ)１５〜５０％のグラフト化ゴム(ＧＲ)、および
(ｂ)８５〜５０％のコポリマー母材(ＭＸ)、
を含んでなる熱可塑性成形組成物であって、
グラフト化ゴム(ＧＲ)が、基材(Ｓ)、第１のグラフト化相(Ｐ１)およびその後のグラフト化相(Ｐ２)を含有し、
該第１のグラフト化相および該その後のグラフト化相が、該基材に順にグラフト化されており、
重量比 (Ｓ)／(Ｐ１＋Ｐ２)が、６０／４０〜９０／１０の範囲内であり、
該第１のグラフト化相(Ｐ１)が、スチレン、α-メチルスチレン、環ハロゲン化スチレンおよび環アルキル化スチレンからなる群(３ＧＰ)から選択される少なくとも１つのモノマー、ならびに、(メタ)アクリロニトリルおよびメタクリル酸メチルからなる群(４ＧＰ)から選択される少なくとも１つのモノマーからなるコポリマーを含有し、
該(３ＧＰ)の重合モノマーが、該(Ｐ１)の重量に対して、少なくとも７５％の量で存在し、
該(４ＧＰ)の重合モノマーが、該(Ｐ１)の重量に対して、多くとも２５％の量で存在し、
該(Ｐ２)が、スチレン、α-メチルスチレン、環ハロゲン化スチレンおよび環アルキル化スチレンからなる群(５ＧＰ)から選択される少なくとも１つのモノマー、ならびに、(メタ)アクリロニトリルおよびメタクリル酸メチルからなる群(６ＧＰ)から選択される少なくとも１つのモノマーからなるコポリマーを含有し、
該(５ＧＰ)の重合モノマーが、該その後のグラフト化相(Ｐ２)の重量に対して、約６０〜７５％の量で存在し、
該(６ＧＰ)の重合モノマーが、(Ｐ２)の重量に対して、約２５〜４０％の量で存在し、
重量比 (Ｐ１)／(Ｐ２)が、１／４〜４／１であり、
該第１のグラフト化相(Ｐ１)および該その後のグラフト化相(Ｐ２)が、互いとは化学的に異なっており、
該グラフト化ゴムが、重量平均粒子サイズが約０.１〜１.０ミクロンである粒状形態で存在し、
該コポリマー母材が、スチレン、α-メチルスチレン、環ハロゲン化スチレンおよび環アルキル化スチレンからなる群(ＭＸ１)から選択される少なくとも１つの重合モノマー、ならびに、(メタ)アクリロニトリルおよびメタクリル酸メチルからなる群(ＭＸ２)から選択される少なくとも１つの重合モノマーを含有し、
重量比 (ＭＸ１)／(ＭＸ２)が、約８０／２０〜６５／３５の範囲内である熱可塑性成形組成物。
【手続補正２】
【補正対象書類名】明細書
【補正対象項目名】００４７
【補正方法】変更
【補正の内容】
【００４７】
本発明を例示の目的で上記に詳しく説明したが、このような詳細が該目的のためだけのものであり、特許請求の範囲により限定されることを除いて、本発明の思想および範囲から逸脱することなく、当業者ならこれに変更を加えうることを理解すべきである。
尚、本発明の対象およびその好ましい態様は、以下の通りである：
１．グラフト化ゴムおよびコポリマー母材を含んでなる熱可塑性成形組成物であって、
グラフト化ゴムが、基材、第１のグラフト化相およびその後のグラフト化相(これらは、該基材に順にグラフト化されている)を含有し、
該基材が、ポリアクリル酸アルキル、ポリ水素化ジエンおよびポリジエンからなる群から選択される架橋エラストマーを含有し、
該第１のグラフト化相が、コポリマーの重量に対して少なくとも７５％の少なくとも１つのビニル芳香族モノマー、ならびに、コポリマーの重量に対して多くとも２５％の(メタ)アクリロニトリルおよび(メタ)アクリル酸アルキルからなる群から選択される少なくとも１つの構成員からなるコポリマーを含有し、
該その後のグラフト化相が、該その後のグラフト化相の重量に対して約６０〜７５％の少なくとも１つのビニル芳香族モノマー、ならびに、該その後のグラフト化相の重量に対して約２５〜４０％の(メタ)アクリロニトリルおよび(メタ)アクリル酸アルキルからなる第２群から選択される少なくとも１つの構成員からなるコポリマーを含有し、
該第１のグラフト化相と該その後のグラフト化相の重量比が、１／４〜４／１であり、
該グラフト化ゴムが、重量平均粒子サイズが約０.１〜１.０ミクロンである粒状形態で存在し、
該母材が、少なくとも１つのビニル芳香族モノマー、ならびに、(メタ)アクリロニトリルおよび(メタ)アクリル酸アルキルからなる群から選択される少なくとも１つのモノマーからなる重合生成物を含有し、
該第１のグラフト化相および該その後のグラフト化相が、互いとは化学的に異なっている熱可塑性成形組成物。
２．基材が、少なくとも１つのビニル芳香族モノマーの重合生成物を含むコア、ならびに、ポリアクリル酸アルキル、ポリ水素化ジエンおよびポリジエンからなる群から選択される架橋ゴムを含むシェルを含有する上記１項に記載の熱可塑性成形組成物。
３．組成物の重量に対して、グラフト化ゴムが１５〜５０％の量で存在し、コポリマー母材が５０〜８５％の量で存在する上記１項に記載の熱可塑性成形組成物。
４．グラフト化ゴム(ＧＲ)およびコポリマー母材(ＭＸ)の合計重量に対して、
(ａ)１５〜５０％のグラフト化ゴム(ＧＲ)、および
(ｂ)８５〜５０％のコポリマー母材(ＭＸ)、
を含んでなる熱可塑性成形組成物であって、
グラフト化ゴム(ＧＲ)が、基材(Ｓ)、第１のグラフト化相(Ｐ１)およびその後のグラフト化相(Ｐ２)を含有し、
該第１のグラフト化相および該その後のグラフト化相が、該基材に順にグラフト化されており、
重量比 (Ｓ)／(Ｐ１＋Ｐ２)が、６０／４０〜９０／１０の範囲内であり、
該第１のグラフト化相(Ｐ１)が、スチレン、α-メチルスチレン、環ハロゲン化スチレンおよび環アルキル化スチレンからなる群(３ＧＰ)から選択される少なくとも１つのモノマー、ならびに、(メタ)アクリロニトリルおよびメタクリル酸メチルからなる群(４ＧＰ)から選択される少なくとも１つのモノマーからなるコポリマーを含有し、
該(３ＧＰ)の重合モノマーが、該(Ｐ１)の重量に対して、少なくとも７５％の量で存在し、
該(４ＧＰ)の重合モノマーが、該(Ｐ１)の重量に対して、多くとも２５％の量で存在し、
該(Ｐ２)が、スチレン、α-メチルスチレン、環ハロゲン化スチレンおよび環アルキル化スチレンからなる群(５ＧＰ)から選択される少なくとも１つのモノマー、ならびに、(メタ)アクリロニトリルおよびメタクリル酸メチルからなる群(６ＧＰ)から選択される少なくとも１つのモノマーからなるコポリマーを含有し、
該(５ＧＰ)の重合モノマーが、該その後のグラフト化相(Ｐ２)の重量に対して、約６０〜７５％の量で存在し、
該(６ＧＰ)の重合モノマーが、(Ｐ２)の重量に対して、約２５〜４０％の量で存在し、
重量比 (Ｐ１)／(Ｐ２)が、１／４〜４／１であり、
該第１のグラフト化相(Ｐ１)および該その後のグラフト化相(Ｐ２)が、互いとは化学的に異なっており、
該グラフト化ゴムが、重量平均粒子サイズが約０.１〜１.０ミクロンである粒状形態で存在し、
該コポリマー母材が、スチレン、α-メチルスチレン、環ハロゲン化スチレンおよび環アルキル化スチレンからなる群(ＭＸ１)から選択される少なくとも１つの重合モノマー、ならびに、(メタ)アクリロニトリルおよびメタクリル酸メチルからなる群(ＭＸ２)から選択される少なくとも１つの重合モノマーを含有し、
重量比 (ＭＸ１)／(ＭＸ２)が、約８０／２０〜６５／３５の範囲内である熱可塑性成形組成物。
５．重量比 (Ｓ)／(Ｐ１＋Ｐ２)が、７０／８０〜３０／２０の範囲内である上記４項に記載の熱可塑性成形組成物。
６．重量比 (Ｐ１)／(Ｐ２)が、３３／６７〜６７／３３である上記４項に記載の熱可塑性成形組成物。
７．重量比 (Ｐ１)／(Ｐ２)が、１／２〜２／１である上記４項に記載の熱可塑性成形組成物。
８．重量平均粒子サイズが、約０.２５〜０.６５ミクロンである上記４項に記載の熱可塑性成形組成物。
９．基材(Ｓ)が、コア(Ｃ)および該コアを包むシェル(ＳＨ)を含有し、
重量比 (Ｃ)／(ＳＨ)が、１／９９〜２５／７５の範囲内であり、
該コア(Ｃ)が、スチレン、α-メチルスチレン、環ハロゲン化スチレンおよび環アルキル化スチレンからなる群から選択される少なくとも１つの構成員から重合され、
該シェル(ＳＨ)が、ポリアクリル酸アルキル、ポリ水素化ジエンおよびポリジエンからなる群から選択される架橋ゴムを含んでなる上記３項に記載の組成物。
１０．コア(Ｃ)が架橋している上記９項に記載の組成物。